(57)【要約】【課題】ガラス扉の組付性や開閉性を向上させながら、耐久性や防犯性も高める。【解決手段】扉枠２２にガラス板２５の外縁部を固定して扉枠２２をガラス板２５で補強する。この扉枠２２の裏面側にヒンジ用板金３１と係合用板金３５と防犯用板金４０を固定し、ヒンジ用板金３１でヒンジ軸３２とヒンジ受部３４を支持して、ヒンジ軸３２とヒンジ受部３４の位置精度を高めると共に、係合用板金３５で係合金具３６，３７を支持して、係合金具３６，３７の位置精度を高めることで、ガラス扉１６の組付性や開閉性を向上させる。また、金属製のヒンジ軸３２、ヒンジ受部３４、係合金具３６，３７を用いることで、ヒンジ軸３２、ヒンジ受部３４、係合金具３６，３７の摩耗を低減して耐久性を高める。更に、樹脂製の扉枠２２が熱で溶かされて貫通孔を開けられても、扉枠２２の裏面側に設けた各板金３１，３５，４０で異物の侵入を阻止して不正行為を防止する。【選択図】図３
2008188087.tif 000002
【特許請求の範囲】
【請求項１】
遊技機本体の前面側にヒンジ機構を介して開閉可能に取り付けられる樹脂製の扉枠と、この扉枠の開口部に配置されたガラス板とを備え、前記扉枠に前記ガラス板の外縁部を固定した遊技機のガラス扉において、
前記扉枠の左右の側枠部のうちの一方の側枠部の裏面側に、前記ヒンジ機構を構成するヒンジ金具を支持するヒンジ用板金が該一方の側枠部に沿って延びるように設けられていると共に、前記扉枠の左右の側枠部のうちの他方の側枠部の裏面側に、前記遊技機本体側のフック部と係合する係合金具を支持する係合用板金が該他方の側枠部に沿って延びるように設けられ、前記扉枠の下枠部の裏面側に、防犯用板金が該下枠部に沿って延びるように設けられていることを特徴とする遊技機のガラス扉。
【発明の詳細な説明】
【技術分野】
【０００１】
本発明は、遊技機本体の前面側に開閉可能に取り付けられる樹脂製の扉枠の開口部にガラス板を配置した遊技機のガラス扉に関する発明である。
【背景技術】
【０００２】
従来の一般的な遊技機（例えばパチンコ機）のガラス扉は、遊技機本体の前面側にヒンジ機構等を介して開閉可能に取り付けられる樹脂製の扉枠に、ガラス板を保持するためのガラス保持枠を一体又は別体で設け、このガラス保持枠のレール溝に、ガラス板の外縁部を嵌め込むことで、扉枠の開口部にガラス板を配置するようにしたものが多い。
【０００３】
近年、遊技機の遊技領域拡大の要求に伴って、ガラス扉のガラス窓部分の面積（つまり扉枠の開口部の面積）を拡大することが要求されるようになってきている。しかし、上記従来のガラス扉は、扉枠の開口部を囲む枠部分をある程度幅広に形成して扉枠の強度を確保する必要があるため、扉枠の枠部分の幅寸法をあまり細くすることができず、扉枠の開口部の面積（ガラス窓部分の面積）を十分に拡大できないという欠点があった。
【０００４】
そこで、特許文献１（特開２００４−１０５５２２号公報）に記載されているように、樹脂製の扉枠に複数枚のガラス板の外縁部を圧接又は密着させるように固定して扉枠をガラス板で補強する構成にすることで、扉枠の枠部分の幅寸法を細くして、扉枠の開口部の面積（ガラス窓部分の面積）を拡大できるようにしたものがある。
【特許文献１】特開２００４−１０５５２２号公報（第２頁、第２図等）
【発明の開示】
【発明が解決しようとする課題】
【０００５】
ところで、遊技機本体の前面側に開閉可能に取り付けられるガラス扉の扉枠には、ヒンジ機構を構成するヒンジ金具や遊技機本体側のフック部と係合する係合金具を設ける必要がある。しかし、上記特許文献１のガラス扉は、樹脂製の扉枠に、ヒンジ金具や係合金具を直接固定すると、樹脂は温度や湿度の変化により変形し易いため、ヒンジ金具や係合金具を安定支持することができず、ヒンジ金具や係合金具の位置精度が低下して、ガラス扉の組付性や開閉性が低下する可能性がある。また、ヒンジ機構を構成するヒンジ部やフック部と係合する係合部を樹脂で形成すると、ガラス扉の開閉を繰り返すうちに樹脂製のヒンジ部や係合部が遊技機本体側のヒンジ金具やフック部と擦れて摩耗し易いため、耐久性が低下する可能性がある。また、樹脂製の扉枠が熱で溶かされて貫通孔を開けられて不正行為が行われる可能性もある。
【０００６】
本発明は、これらの事情を考慮してなされたものであり、従って本発明の目的は、ガラス扉の組付性や開閉性を向上させながら、耐久性や防犯性も高めることができる遊技機のガラス扉を提供することにある。
【課題を解決するための手段】
【０００７】
上記目的を達成するために、請求項１に係る発明は、遊技機本体の前面側にヒンジ機構を介して開閉可能に取り付けられる樹脂製の扉枠と、この扉枠の開口部に配置されたガラス板とを備え、扉枠にガラス板の外縁部を固定した遊技機のガラス扉において、扉枠の左右の側枠部のうちの一方の側枠部の裏面側に、ヒンジ機構を構成するヒンジ金具を支持するヒンジ用板金を該一方の側枠部に沿って延びるように設けると共に、扉枠の左右の側枠部のうちの他方の側枠部の裏面側に、遊技機本体側のフック部と係合する係合金具を支持する係合用板金を該他方の側枠部に沿って延びるように設け、扉枠の下枠部の裏面側に、防犯用板金を該下枠部に沿って延びるように設けるようにしたものである。
【０００８】
この構成では、扉枠の一方の側枠部に沿って設けたヒンジ用板金でヒンジ金具を支持すると共に、扉枠の他方の側枠部に沿って設けた係合用板金で係合金具を支持するようにしたので、ヒンジ金具と係合金具をそれぞれ板金で安定支持することができて、ヒンジ金具や係合金具の位置精度を高めることができ、ガラス扉の組付性や開閉性を向上させることができる。
【０００９】
また、金属製のヒンジ金具や係合金具を用いるようにしたので、樹脂製のヒンジ部や係合部を用いる場合に比べて、ヒンジ金具や係合金具の摩耗を低減して耐久性を高めることができる。
【００１０】
更に、扉枠の各側枠部の裏面側に、それぞれヒンジ用板金と係合用板金を設けると共に、下枠部の裏面側に、防犯用板金を設けるようにしたので、もし、樹脂製の扉枠の側枠部や下枠部が熱で溶かされて貫通孔を開けられたとしても、側枠部や下枠部の裏面側に設けた板金によって異物（針金等）の侵入を阻止して不正行為を防止することができ、防犯性を高めることができる。
【発明を実施するための最良の形態】
【００１１】
以下、本発明を実施するための最良の形態を具体化した一実施例を説明する。
まず、図１に基づいてパチンコ機（遊技機）の前面側の概略構成を説明する。パチンコ機の本体枠１１の前面側には、遊技盤１２が取り付けられている。この遊技盤１２の前面には、内レール１３、外レール１４等によってパチンコ球（遊技球）が転動する遊技領域１５が区画形成され、この遊技領域１５に、センター役物、入賞口、入賞装置等（いずれも図示せず）が設けられている。また、遊技盤１２の前面側には、ガラス扉１６が開閉可能に配置されている。
【００１２】
一方、本体枠１１の前面側下部に設けられた前面パネル１７には、パチンコ球（遊技球）を受け溜める上球受け皿１８と下球受け皿１９が上下に並べて配置され、球払出装置（図示せず）から払い出されたパチンコ球（賞球）が球払出通路（図示せず）を流下して上球受け皿１８内に流入し、この上球受け皿１８の貯溜量を越えた余剰のパチンコ球がオーバーフロー通路（図示せず）を流下して下球受け皿１９内へ流入するようになっている。
【００１３】
また、本体枠１１の左側下部（球受け皿１８，１９の左方）には、上球受け皿１８から供給されるパチンコ球を発射する球発射装置２０が配置され、この球発射装置２０によりパチンコ機の左側下部からパチンコ球をほぼ垂直上方（又は斜め上方）に打ち上げるようになっている。一方、本体枠１１の右側下部（球受け皿１８，１９の右方）には、球発射装置２０の発射操作ハンドル２１が設けられている。
【００１４】
次に、図２乃至図７を用いて、ガラス扉１６の構成について説明する。図２及び図３に示すように、ガラス扉１６の樹脂製の扉枠２２の中央部には、遊技盤１２を見せるための開口部２３が形成され、この開口部２３に、２枚のガラス板２４，２５が前後方向に所定の間隔を隔てて配置されている。尚、ガラス板２４，２５に代えて硬質の透明性部材を用いるようにしても良い。
【００１５】
図５乃至図７に示すように、扉枠２２は、前後に分割可能に形成され、前側の扉枠部材２６と後側の扉枠部材２７とから構成されている。前側の扉枠部材２６の内周部には、前側のガラス板２４の外縁部を嵌め込むための嵌合溝２８が形成され、後側の扉枠部材２７の内周部には、後側のガラス板２５の外縁部を嵌め込むための嵌合溝２９が形成されている。前側の扉枠部材２６の嵌合溝２８に、前側のガラス板２４の外縁部を嵌め込んで接着剤等により接着固定すると共に、後側の扉枠部材２７の嵌合溝２９に、後側のガラス板２５の外縁部を嵌め込んで接着剤等により接着固定した後、前側の扉枠部材２６の裏面側に、後側の扉枠部材２７をネジ等で固定して、扉枠２２と２枚のガラス板２４，２５とをユニット化した複層ガラスユニットを構成する。これにより、扉枠２２を２枚のガラス板２４，２５で補強してガラス扉１６全体の強度を増大させることができるため、扉枠２２の枠部分の幅寸法を細くして、扉枠２２の開口面積（ガラス窓部分の面積）を拡大できるようになっている。
【００１６】
また、嵌合溝２８，２９に形成された溝部（空間部）に接着剤を流入させてガラス板２４，２５を固定することにより、扉枠部材２６，２７の内周側に向けて接着剤が流入すること（接着部が視認されてしまうこと）を防止することができる。
【００１７】
前側の扉枠部材２６には、前面側のガラス板２４の外縁部（つまり接着部）を覆うカバー部３０が形成され、このカバー部３０によって前面側のガラス板２４の接着部を覆い隠すことで、意匠性を向上させるようにしている。尚、前側の扉枠部材２６の内周側に縁取り枠を設けたり、或は、前側のガラス板２４の外縁部の前面に塗装を施したりすることで、前面側のガラス板２４の接着部を覆い隠すようにしても良い。
【００１８】
また、装飾効果を高めるために、扉枠２２の前面側に、塗装やメッキ等の表面処理を施しても良いし、ＬＥＤ等の電飾部材を設けるようにしても良い。
【００１９】
図３に示すように、扉枠２２の裏面側から見て右側（前面側から見て左側）の側枠部２２ａの裏面側には、ヒンジ用板金（金属板）３１が側枠部２２ａに沿って上下方向に延びるように配置されてネジ等で固定され、このヒンジ用板金３１の上部に、金属製のヒンジ軸３２（ヒンジ金具）が上下方向にスライド移動可能に支持されている。また、ヒンジ用板金３１の下部には、ヒンジ孔３３（図４参照）を有する金属製のヒンジ受部３４（ヒンジ金具）が支持固定されている。この場合、一枚の金属板を加工してヒンジ用板金３１とヒンジ受部３４とを一体形成するようにしても良いが、ヒンジ用板金３１とは別体で形成したヒンジ受部３４をヒンジ用板金３１にネジ止めや溶接等で固定するようにしても良い。
【００２０】
この扉枠２２のヒンジ受部３４のヒンジ孔３３に、本体枠１１側のヒンジ軸（図示せず）を嵌合すると共に、本体枠１１側のヒンジ受部のヒンジ孔（図示せず）に、扉枠２２のヒンジ軸３２を嵌合することで、ガラス扉１６が本体枠１１に開閉可能に取り付けられるようになっている。これらの扉枠２２のヒンジ軸３２とヒンジ受部３４及び本体枠１１側のヒンジ軸とヒンジ受部等からヒンジ機構が構成されている。
【００２１】
図５に示すように、ヒンジ用板金３１は、断面略Ｌ字形状に形成されて２つの平板状部３１ａ，３１ｂが設けられ、一方の平板状部３１ａが扉枠２２の左右方向（幅方向）に延びると共に他方の平板状部３１ｂが扉枠２２の前後方向（奥行き方向）に延びるように配置されている。これにより、ヒンジ用板金３１の左右方向の寸法を小さくして、扉枠２２の側枠部２２ａの幅寸法を更に細くできるようにしている。
【００２２】
尚、ヒンジ用板金３１を略平板状に形成して扉枠２２の前後方向に延びるように配置することで、ヒンジ用板金３１の左右方向の寸法を小さくして、扉枠２２の側枠部２２ａの幅寸法を更に細くできるようにしても良い。或は、ヒンジ用板金３１を略平板状に形成して扉枠２２の左右方向に延びるように配置しても良い。
【００２３】
また、図３に示すように、扉枠２２の裏面側から見て左側（前面側から見て右側）の側枠部２２ｂの裏面側には、係合用板金（金属板）３５が側枠部２２ｂに沿って上下方向に延びるように配置されてネジ等で固定され、この係合用板金３５の上部と下部に、それぞれ本体枠１１側のフック部（図示せず）と係合する金属製の係合金具３６，３７が支持固定されている。この場合、一枚の金属板を加工して係合用板金３５と係合金具３６，３７とを一体形成するようにしても良いが、係合用板金３５とは別体で形成した係合金具３６，３７を係合用板金３５にネジ止めや溶接等で固定するようにしても良い。
【００２４】
ガラス扉１６を閉じたときに、扉枠２２の各係合金具３６，３７に、それぞれ本体枠１１側のフック部が係合することで、ガラス扉１６が閉鎖状態でロックされるようになっている。図１に示すように、球受け皿１８，１９が設けられた前面パネル１７には、ガラス扉１６のロックを解除するためのキー（図示せず）を差し込むキーシリンダ３８が設けられ、このキーシリンダ３８にキーを差し込んで回動操作することで、本体枠１１側のフック部と扉枠２２の係合金具３６，３７の係合が解除されてガラス扉１６を開放できるようになっている。このように、キーシリンダ３８を前面パネル１７に設けることで、扉枠２２の側枠部２２ｂの幅寸法を更に細くできるようにしている。
【００２５】
更に、図３に示すように、係合用板金３５の略中央部には、跳ね出しバネ３９がネジ等で固定され、本体枠１１側のフック部と扉枠２２の係合金具３６，３７の係合が解除されたときに、この跳ね出しバネ３９によってガラス扉１６が前方（開方向）に跳ね出すようになっている。
【００２６】
図６に示すように、係合用板金３５は、略平板状に形成されて扉枠２２の左右方向に延びるように配置されている。尚、係合用板金３５を略平板状に形成して扉枠２２の前後方向に延びるように配置したり、或は、係合用板金３５を断面略Ｌ字形状に形成して一方の平板状部が扉枠２２の左右方向に延びると共に他方の平板状部が扉枠２２の前後方向に延びるように配置することで、係合用板金３５の左右方向の寸法を小さくして、扉枠２２の側枠部２２ｂの幅寸法を更に細くできるようにしても良い。
【００２７】
また、図３及び図４に示すように、扉枠２２の下枠部２２ｃの裏面側には、防犯用板金（金属板）４０が下枠部２２ｃに沿って左右方向に延びるように配置されてネジ等で固定されている。図７に示すように、この防犯用板金４０は、略平板状に形成されて扉枠２２の前後方向に延びるように配置されている。これにより、防犯用板金４０の上下方向の寸法を小さくして、扉枠２２の下枠部２２ｃの幅寸法を更に細くできるようにしている。
【００２８】
尚、防犯用板金４０を断面略Ｌ字形状に形成して一方の平板状部が扉枠２２の上下方向に延びると共に他方の平板状部が扉枠２２の前後方向に延びるように配置しても良い。
【００２９】
また、防犯用板金４０は、扉枠２２の下枠部２２ｃよりも後方（遊技領域１５の下方）まで突出するように設けられている。これにより、扉枠２２の下枠部２２ｃと前面パネル１７との隙間から針金等の異物をガラス扉１６の裏面側の遊技領域１５に侵入させることを防犯用板金４０によって阻止して、遊技領域１５に設けられた入賞装置等を不正操作する等の不正行為を防止できるようにしている。
【００３０】
ここで、扉枠２２の下枠部２２ｃに沿って配置した防犯用板金４０の全体を下枠部２２ｃよりも後方まで突出させると、本体枠１１の左側下部に配置された球発射装置２０からパチンコ球をほぼ垂直上方（又は斜め上方）に打ち上げるパチンコ機では、球発射装置２０から発射されたパチンコ球の発射経路やファール球回収口４１（図１参照）へ向かって落下するパチンコ球（ファール球）の落下経路に、防犯用板金４０が突出してしまうことになる。この対策として、図４及び図７に示すように、扉枠２２の前面側から見て防犯用板金４０の左側部に、パチンコ球の発射経路や落下経路を確保するための切欠部４２が形成されている。
【００３１】
更に、図３に示すように、扉枠２２の裏面側から見て右下隅部（前面側から見て左下隅部）の裏面側には、略三角形状の隙間埋め部材４３が取り付けられ、この隙間埋め部材４３によって球発射装置２０から発射されたパチンコ球やファール球が扉枠２２の左下隅部に入り込むことを防止できるようにしている。
【００３２】
尚、隙間埋め部材４３の後面の位置は、後側のガラス板２５の後面の位置と略同一の位置になるように配設されている。これにより、球発射装置２０から発射されたパチンコ球を、その発射経路の前面側においてガイドし、適切に遊技領域へ向けて案内するように構成している。
【００３３】
また、図２に示すように、前側のガラス板２４は、扉枠２２の前面側から見て右上部分２４ａと右下部分２４ｂが、それぞれ後側のガラス板２５よりも外側に拡大するように形成され、前側のガラス板２４の右上部分２４ａで上側の係合金具３６（図３参照）の前方を覆うと共に、前側のガラス板２４の右下部分２４ｂで下側の係合金具３７（図３参照）の前方を覆うようになっている。
【００３４】
以上説明した本実施例では、扉枠２２の一方の側枠部２２ａに固定したヒンジ用板金３１でヒンジ軸３２とヒンジ受部３４を支持するようにしたので、ヒンジ軸３２とヒンジ受部３４を安定支持することができ、ヒンジ軸３２とヒンジ受部３４の位置精度（例えば、扉枠２２のヒンジ軸３２とヒンジ受部３４との間の同軸精度や、本体枠１１側のヒンジ受部とヒンジ軸に対する扉枠２２のヒンジ軸３２とヒンジ受部３４の同軸精度）を高めることができる。更に、扉枠２２の他方の側枠部２２ｂに固定した係合用板金３５で係合金具３６，３７を支持するようにしたので、係合金具３６，３７を安定支持することができ、本体枠１１側のフック部に対する扉枠２２の係合金具３６，３７の位置精度を高めることができる。これにより、ガラス扉１６の組付性や開閉性を向上させることができる。
【００３５】
また、金属製のヒンジ軸３２、ヒンジ受部３４、係合金具３６，３７を用いるようにしたので、樹脂製のヒンジ軸、ヒンジ受部、係合部を用いる場合に比べて、ヒンジ軸３２、ヒンジ受部３４、係合金具３６，３７の摩耗を低減して耐久性を高めることができる。
【００３６】
更に、扉枠２２の各側枠部２２ａ，２２ｂの裏面側に、それぞれヒンジ用板金３１と係合用板金３５を設けると共に、下枠部２２ｃの裏面側に、防犯用板金４０を設けるようにしたので、もし、樹脂製の扉枠２２の側枠部２２ａ，２２ｂや下枠部２２ｃが熱で溶かされて貫通孔を開けられたとしても、側枠部２２ａ，２２ｂや下枠部２２ｃの裏面側に設けた各板金３１，３５，４０によって異物（針金等）の侵入を阻止して不正行為を防止することができ、防犯性を高めることができる。
【００３７】
しかも、前側のガラス板２４の右上部分２４ａや右下部分２４ｂで係合金具３６，３７の前方を覆うようにしたので、前側のガラス板２４の右上部分２４ａや右下部分２４ｂによって係合金具３６，３７やフック部に対する不正行為も防止することができ、更に、防犯性を高めることができる。
【００３８】
また、扉枠２２の側枠部２２ａ，２２ｂや下枠部２２ｃに沿って設けた各板金３１，３５，４０によって扉枠２２を補強することができ、ガラス扉１６の強度を向上させることもできる。
【００３９】
また、各板金３１，３５，４０を一体成形で略Ｕ字形状に形成するようにしても良いが、各板金３１，３５，４０をネジ止めや溶接等で連結して一体的に略Ｕ字形状に形成するようにしても良い。
更に、各板金３１，３５，４０は、それぞれ１枚の板金で形成するようにしても良いが、複数枚の板金をネジ止めや溶接等で連結して一体的に形成するようにしても良い。
【００４０】
尚、各板金３１，３５，４０を略平面状に形成した場合は、板金自体の強度を上げるために板金にビード加工（しぼり加工）を施すようにしても良い。
尚、上記実施例では、本体枠１１の左側下部に球発射装置２０を配置した構成のパチンコ機に本発明を適用したが、これに限定されず、本体枠の中央下部や右側下部に球発射装置を配置した構成のパチンコ機に本発明を適用しても良い。
【００４１】
また、上記実施例では、本体枠１１の前面下部に上球受け皿１８と下球受け皿１９を設けた２皿構成のパチンコ機に本発明を適用したが、本体枠の前面下部に球受け皿を１皿のみ設けた１皿構成のパチンコ機に本発明を適用しても良い。
【００４２】
また、本発明の適用範囲は、一般のパチンコ機のガラス扉に限定されず、例えばアレンジボール遊技機等、種々の遊技機のガラス扉に本発明を適用しても良い。
【図面の簡単な説明】
【００４３】
【図１】本発明の一実施例におけるパチンコ機の正面図である。
【図２】ガラス扉の正面図である。
【図３】ガラス扉の裏面図である。
【図４】ガラス扉の下面図である。
【図５】図３のＡ−Ａ断面図である。
【図６】図３のＢ−Ｂ断面図である。
【図７】図４のＣ−Ｃ断面図である。
【符号の説明】
【００４４】
１１…本体枠、１２…遊技盤、１５…遊技領域、１６…ガラス扉、２２…扉枠、２３…開口部、２４…前側のガラス板、２５…後側のガラス板、２６…前側の扉枠部材、２７…後側の扉枠部材、３１…ヒンジ用板金、３２…ヒンジ軸（ヒンジ金具）、３４…ヒンジ受部（ヒンジ金具）、３５…係合用板金、３６，３７…係合金具、４０…防犯用板金
【図１】
2008188087.tif 000003
【図２】
2008188087.tif 000004
【図３】
2008188087.tif 000005
【図４】
2008188087.tif 000006
【図５】
2008188087.tif 000007
【図６】
2008188087.tif 000008
【図７】
2008188087.tif 000009